(57)【要約】【構成】一方側端に雄ザネ４０が、他方側端に雌ザネ３８がそれぞれ形成された横幅Ｗ３の規格品の外壁板を基本板１６として使用して、それより幅広の横幅がＷ４の外壁板１４を作る方法である。まず、２枚の基本板１６を準備し、そのうちの１枚の基本板１６を中央で２分して、雌ザネ板３６および雄ザネ板３４を形成する。そして、木枠１２上で、残りの１枚の基本板１６の雄ザネ４０に雌ザネ板３６の雌ザネ３８が、基本板１６の雌ザネ３８に雄ザネ板３４の雄ザネ４０がそれぞれ嵌まり合うようにこの基本板１６の両側に接合して外壁板１４を作ることができる。この外壁板１４に木枠１２が取り付けられたものが外壁パネル１０である。【効果】規格品として存在する横幅の外壁板を基本板として使用して、それよりも幅広であって規格外の横幅の外壁板を安価で簡単に作ることができる。【選択図】　図２
2004108111.tif 000002
【特許請求の範囲】
【請求項１】
一方側端に雄ザネが、他方側端に雌ザネがそれぞれ形成された一定幅の基本板を使ってそれより幅広の外壁板を作る方法であって、
（ａ）　２枚以上の前記基本板を準備し、
（ｂ）　１枚の前記基本板を中央で２分し、そして
（ｃ）　他の残りの１枚以上の前記基本板の雄ザネに２分した雌ザネが、前記基本板の雌ザネに２分した雄ザネがそれぞれ嵌まり合うように当該他の１枚以上の前記基本板の両側に接合する、外壁板を作る方法。
【請求項２】
請求項１のステップ（ｂ）では、前記基本板の中央に目地が形成されている場合、その目地の両方の各側縁で前記基本板を切断する、請求項１記載の外壁板を作る方法。
【請求項３】
請求項１のステップ（ｃ）では、前記２分した雄ザネおよび雌ザネが形成されている雄ザネ板および雌ザネ板と、前記基本板とのそれぞれの接合部の裏面に、第１の接着剤層および第２の接着剤層を介して下地材が接着され、前記第１の接着剤層は、前記接合部の裏面に表れる前記基本板の外縁部から所定幅だけ前記基本板の板面内方へ寄った位置に設けられ、前記第２の接着剤層は、前記外縁部から所定幅だけ前記雄ザネ板および前記雌ザネ板のいずれかの板面内方へ寄った位置に設けられ、前記第１の接着剤層と前記第２の接着剤層との間に防水層が設けられる、請求項１または２記載の外壁板を作る方法。
【請求項４】
請求項１ないし３のいずれかに記載の外壁板を作る方法によって作られた前記外壁板に木枠が取り付けられた、外壁パネル。
【請求項５】
一方側端に雄ザネが、他方側端に雌ザネがそれぞれ形成された一定幅の基本板を使って外壁板を作る方法であって、
（ａ）　１枚の前記基本板を準備し、
（ｂ）　前記基本板を中央で２分し、
（ｃ）　２分した雌ザネが２分した雄ザネに嵌まり合うように接合する、外壁板を作る方法。
【発明の詳細な説明】
【０００１】
【産業上の利用分野】
この発明は外壁板を作る方法および外壁パネルに関し、特にたとえば、建物等の外壁材として使用される外壁板を作る方法、およびその外壁板を備える外壁パネルに関する。
【０００２】
【従来技術】
建物等の外壁材として使用される外壁パネル１の一例として、図１７および図１８に示すように、ほぼ矩形に枠組みされた木枠２に対して、その表面に接着剤層を介して外壁板（サイディングボード）３を接着したものがあり、たとえば畳程度の大きさのものである。この外壁パネル１を建物の外面に合わせて縦横に並べながら面一に設置することによって、建物の外壁を形成することができる。
【０００３】
ここで、横幅Ｗ１がたとえば９００ｍｍの外壁パネル１を建物に設置する場合は、外壁板３も当然横幅Ｗ１が９００ｍｍのものを必要とする。
【０００４】
【発明が解決しようとする課題】
しかし、横幅Ｗ１が９００ｍｍの外壁板３は、規格品として存在していない。したがって、横幅Ｗ１が９００ｍｍの外壁板３は、特注仕様によって調達する必要があり、高価となる。よって、この横幅Ｗ１の外壁板３において、色柄のバリエーションの変更または追加する場合は費用が嵩むので、規格品と比較して、それよりも少ない数の色柄のバリエーションの外壁板しか保有することができない。
【０００５】
なお、外壁板の規格品として、図１９に示すように、横幅Ｗ２が４５５ｍｍのものがある。この外壁板４は、左右の各側端に雄ザネ５および雌ザネ６が形成されている。ここで、たとえばこの規格品の２枚の外壁板４を使用して，横幅Ｗ１が９００ｍｍの外壁パネル７を製作する場合は、図１９に示すように、まず、横幅Ｗ１が９００ｍｍの矩形の木枠２を形成して、中央に縦桟２ａを取り付ける。また、２枚の外壁板４を接合したときに、横幅Ｗ１が９００ｍｍとなるように、図１９に示す右側の外壁板４の雄ザネ５を切断する。そして、縦桟２ａを含む木枠２の表面にこの２枚の外壁板４を接着する。これによって、横幅Ｗ１が９００ｍｍの外壁パネル７を製作することができる。
【０００６】
しかし、外壁パネル７を建物の外面に設置するとき、互いに隣接する外壁パネル７どうしの接合部が目地材（図示せず）によって防水処理が施されるが、図１９に示す外壁パネル７では、左側の外壁板４の左側端に雌ザネ（溝）６が形成されているので、この雌ザネ６によって防水処理を施すことが困難なこととなっている。
【０００７】
それゆえに、この発明の主たる目的は、規格品として存在する横幅の外壁板を基本板として使用して、所望の横幅の外壁板を安価で簡単に作ることができる方法、およびその外壁板を備える外壁パネルを提供することである。
【０００８】
【課題を解決するための手段】
第１の発明は、一方側端に雄ザネが、他方側端に雌ザネがそれぞれ形成された一定幅の基本板を使ってそれより幅広の外壁板を作る方法であって、（ａ）　２枚以上の基本板を準備し、（ｂ）　１枚の基本板を中央で２分し、そして（ｃ）　他の残りの１枚以上の基本板の雄ザネに２分した雌ザネが、基本板の雌ザネに２分した雄ザネがそれぞれ嵌まり合うように他の１枚以上の基本板の両側に接合する、外壁板を作る方法である。
【０００９】
第２の発明は、第１の発明の外壁板を作る方法によって作られた外壁板に木枠が取り付けられた、外壁パネルである。
【００１０】
第３の発明は、一方側端に雄ザネが、他方側端に雌ザネがそれぞれ形成された一定幅の基本板を使って外壁板を作る方法であって、（ａ）　１枚の基本板を準備し、（ｂ）　基本板を中央で２分し、（ｃ）　２分した雌ザネが２分した雄ザネに嵌まり合うように接合する、外壁板を作る方法である。
【００１１】
【作用】
第１の発明の外壁板を作る方法によると、一定幅の基本板を使ってそれよりも幅広の外壁板を作ることができる。この外壁板を作るときは、まず、１枚の基本板を中央で２分して、たとえば別の１枚の基本板の雄ザネにこの２分して得られた雌ザネが嵌まり合うように接合する。そして、この基本板の雌ザネにこの２分して得られた雄ザネが嵌まり合うように接合する。これによって、基本板よりも幅広の外壁板を作ることができる。
【００１２】
ただし、２分して得られた雄ザネおよび雌ザネが接合される基本板は、２枚以上の基本板を互いに接合したものとしてもよく、この２枚以上の互いに接合された基本板の両側に、２分した雄ザネおよび雌ザネを接合して外壁板を作ることができる。
【００１３】
そして、第３の発明の外壁板を作る方法では、この２分して得られた雌ザネおよび雄ザネを互いに嵌合させて接合する。これによって、基本板よりも幅の狭い外壁板を作ることができる。
【００１４】
第２の発明の外壁パネルは、第１の発明の外壁板を作る方法によって作られた外壁板に木枠を取り付けて形成されているので、基本板よりも幅広の外壁パネルを提供できる。
【００１５】
【発明の効果】
この発明によれば、基本板を使ってそれよりも幅広の外壁板や、それよりも幅の狭い外壁板を作ることができる。そして、この外壁板を使用して外壁パネルを作ることができる。したがって、たとえば幅が４５５ｍｍの規格品の外壁板を基本板として使用することによって、規格品には存在していないたとえば幅が９００ｍｍの外壁板を安価で簡単に作ることができる。そして、この外壁板を使用することによって、規格外の幅の外壁パネルも安価で簡単に作ることができる。これによって、規格外の幅の外壁板（外壁パネル）を作るときに、規格品の外壁板に取り揃えられている色柄のバリエーションの全てを利用できる。その結果、規格品の外壁板と同じ数の色柄のバリエーションを、規格外の外壁板に対して取り揃えて保有できるし、この外壁板を使用して外壁パネルを作ることができる。
【００１６】
この発明の上述の目的，その他の目的，特徴および利点は、図面を参照して行う以下の実施例の詳細な説明から一層明らかとなろう。
【００１７】
【実施例】
この発明の第１実施例に係る外壁板および外壁パネルを作る方法、および外壁パネルを図１〜図７を参照して説明する。この外壁パネル１０は、建物等の外壁材として使用されるものであり、図１に示すように、ほぼ矩形に枠組みされた木枠１２に対して、その表面に接着剤層を介して外壁板（サイディングボード）１４を接着して形成したものである。この外壁パネル１０は、建物の外面に合わせて縦横に並べながら面一に設置することによって、建物の外壁を形成することができる。この外壁板１４は、規格品の２枚の基本板（たとえば横幅Ｗ３が４５５ｍｍの外壁板）１６を使用して、横幅Ｗ４が規格外の寸法（たとえば９００ｍｍ）となるように作られたものである。そして、外壁パネル１０は、この外壁板１４を使用して作られたものである。
【００１８】
木枠１２は、図１および図２に示すように、ほぼ矩形に枠組みして形成されたものであり、間隔を隔てて互いに平行する左右の各縦枠１８，２０、および間隔を隔てて互いに平行する上下の各横枠２２，２４を備えている。これら各縦枠１８，２０および各横枠２２，２４は、互いに隣接するものどうしが結合している。そして、縦桟２６が木枠１２の中央に設けられている。縦桟２６は、上端部が上横枠２２の中央の下面に結合しており、下端部が下横枠２４の中央の上面に結合している。また、左縦枠１８，右縦枠２０および縦桟２６の裏面には、矩形の枠体として形成された間柱２８が結合している。この間柱２８の裏面には、図８に示すように、板状の内壁材３０が取り付けられる。この木枠１２は、外壁板１４と同じ横幅Ｗ４（たとえば９００ｍｍ）であり、縦の長さＨ１も外壁板１４と同じ寸法（たとえば９００ｍｍ）である。
【００１９】
さらに、左縦枠１８と縦桟２６との中間部、および右縦枠２０と縦桟２６との中間部には、それぞれ下地材３２が縦方向に２本ずつ配置されている。そして、各下地材３２の上端部が上横枠２２の下面に結合しており、下端部が下横枠２４の上面に結合している。
【００２０】
外壁板１４は、図１および図２に示すように、中央の基本板１６（外壁板）の左側端に雄ザネ板３４を接合し、右側端に雌ザネ板３６を接合して形成したものである。
【００２１】
基本板１６は、ほぼ矩形の板状体であり、たとえばパルプ混入軽量セメントにより形成されている。この基本板１６は、外壁板の規格品であって、横幅Ｗ３が４５５ｍｍである。そして、基本板１６は、左側端に雌ザネ３８が形成されており、右側端に雄ザネ４０が形成されている。
【００２２】
雄ザネ板３４および雌ザネ板３６は、図５（Ａ）および図５（Ｂ）に示すように、基本板１６をほぼ中央の２箇所Ｐ１，Ｐ２で切断して、Ｐ１とＰ２との中間部４２を除去することによって形成されたものである。また、この雄ザネ板３４および雌ザネ板３６は、図１に示すように基本板１６の両方の各側端に接合された状態で、外壁板１４の横幅Ｗ４が９００ｍｍとなる寸法に切断されている。
【００２３】
つまり、図２に示す基本板１６のほぼ中央の表面に形成されている目地を第１の目地４４とし、雄ザネ板３４と基本板１６との接合部５０の表面に形成されている目地を第２の目地４６とし、そして、雌ザネ板３６と基本板１６との接合部５０の表面に形成されている目地を第３の目地４８とする。この雄ザネ板３４の左側端から第２の目地４６の中心までの寸法（雄ザネ板３４の横幅）Ｗ５は、２２２．５ｍｍ、第２の目地４６の中心から第３の目地４８の中心までの寸法（基本板１６の横幅）Ｗ３は、４５５ｍｍであり、第３目地の中心から雌ザネ板３６の右側端までの寸法（雌ザネ板３６の横幅）Ｗ５は、２２２．５ｍｍである。そして、雄ザネ板３４の左側端から第１の目地４４の中心までの寸法Ｗ４／２は、４５０ｍｍ、第１の目地４４の中心から雌ザネ板３６の右側端までの寸法Ｗ４／２は、４５０ｍｍである。
【００２４】
基本板１６および雌ザネ板３６に形成されている雌ザネ３８は、それぞれ同等のものであり、基本板１６および雄ザネ板３４に形成されている雄ザネ４０は、それぞれ同等のものであるので、図３を参照して雌ザネ３８および雄ザネ４０を説明する。
【００２５】
雌ザネ３８は、図３（Ａ）に示すように、基本板１６の左側端の裏面に形成された溝３８ａを備えている。雄ザネ４０は、雄ザネ板３４の右側端に形成された突条４０ａを備えている。この雄ザネ４０および雌ザネ３８は、突条４０ａが溝３８ａに嵌まり合って接合される形状に形成されている。この接合した状態で、雌ザネ３８が形成されている基本板１６と、雄ザネ４０が形成されている雄ザネ板３４とを同一平面上に配置できるように形成されている。同様に、図３（Ｂ）に示すように、基本板１６と雌ザネ板３６とを接合した状態で、この２枚の板を同一平面上に配置できるように形成されている。
【００２６】
そして、図３（Ａ）に示すように、雄ザネ板３４の右側端の表面には、溝が形成されており、この溝と基本板１６の左側端の表面に形成されている面取り部とによって第２の目地４６が形成されている。また、図３（Ｂ）に示すように、基本板１６の右側端の表面にも溝が形成されており、この溝と雌ザネ板３６の左側端の表面に形成されている面取り部とによって第３の目地４８が形成されている。
【００２７】
また、図３（Ａ）に示すように、基本板１６の雌ザネ３８と雄ザネ板３４の雄ザネ４０との接合部５０の裏面に、第１の接着剤層５２および第２の接着剤層５４を介して下地材３２，３２が接着されている。この第１の接着剤層５２は、接合部５０の裏面に表れる基本板１６の外縁部５６から所定幅Ｌ１だけ基本板１６の板面内方へ寄った位置に所定の幅で設けられている。そして、第２の接着剤層５４は、外縁部５６から所定幅Ｌ２だけ雄ザネ板３４の板面内方へ寄った位置に所定の幅で設けられている。そして、この第１の接着剤層５２と第２の接着剤層５４との間に防水層５８が設けられている。なお、防水層５８は、所定の厚みに形成されているので、この防水層５８を収容できるように、基本板１６の左側端および雄ザネ板３４の右側端の裏面（接合部５０の裏面）に凹部６０が形成されている。この凹部６０に防水層５８が装着されている。したがって、防水層５８は、基本板１６と雄ザネ板３４とを跨った状態で配置されている。この防水層５８は、たとえばＥＰＤＭ（エチレン−プロピレン−ジェンタ−ポリマー）等の発泡性素材によって形成されている。この防水層５８は、圧縮された状態で凹部６０内に収容されており、防水性能が確保されている。もちろん、他の材質の防水層５８を使用してもよい。
【００２８】
同様に、図３（Ｂ）に示すように、基本板１６の雄ザネ４０と、雌ザネ板３６の雌ザネ３８との接合部５０の裏面に第１の接着剤層５２および第２の接着剤層５４を介して下地材３２，３２が接着されている。この第１の接着剤層５２は、接合部５０の裏面に表れる基本板１６の外縁部５６から所定幅Ｌ３だけ基本板１６の板面内方へ寄った位置に所定の幅で設けられている。そして、第２の接着剤層５４は、外縁部５６から所定幅Ｌ４だけ雌ザネ板３６の板面内方へ寄った位置に所定の幅で設けられている。そして、この第１の接着剤層５２と第２の接着剤層５４との間に防水層５８が設けられている。なお、この防水層５８が収容できるように、基本板１６の右側端および雌ザネ板３６の左側端の裏面（接合部５０の裏面）に凹部６０が形成されている。この凹部６０に防水層５８が装着されている。したがって、防水層５８は、基本板１６と雌ザネ板３６とを跨った状態で配置されている。
【００２９】
なお、基本板１６等に凹部６０を形成して、この凹部６０に防水層５８を収容するようにしたが、凹部６０を形成せずに、防水層５８を基本板１６等と下地材３２との間に挟み込んで取り付けるようにしてもよい。
【００３０】
そして、図３には表していないが、各接合部５０において、防水層５８の両方の各縁部は、第１および第２の接着剤層５２，５４のそれぞれの一部と互いに重なり合って設けられており、防水性能の向上を図っている。
【００３１】
次に、図１および図２に示す外壁板１４を作る方法、およびこの外壁板１４を使用して外壁パネル１０を作る方法を図１〜図７を参照して説明する。この外壁板１４を作る方法は、図４に示すように、規格品の２枚の基本板（たとえば横幅Ｗ３が４５５ｍｍの外壁板）１６を使用して、横幅Ｗ４が規格外の寸法（たとえば９００ｍｍ）となる外壁板１４を作る方法である。そして、外壁パネルを作る方法は、この外壁板１４を使用して外壁パネル１０を作る方法である。
【００３２】
まず、図４に示すように、２枚の基本板１６を準備する。この基本板１６は、外壁板の規格品であり、横幅Ｗ３が４５５ｍｍである。そして、図５に示すように、１枚の基本板１６を第１の目地４４の部分で切断して２分して、雄ザネ板３４および雌ザネ板３６を作る。この基本板１６の切断位置Ｐ１，Ｐ２は、基本板１６の中央に形成されている第１の目地４４の両方の各側縁の位置である。このＰ１とＰ２との間隔は、１０ｍｍである。この切断によって得られる雄ザネ板３４および雌ザネ板３６は、図２に示すように、基本板１６の左右の各側端に接合した状態で、それぞれの横幅Ｗ５が２２２．５ｍｍとなる。
【００３３】
また、雄ザネ板３４および雌ザネ板３６を作るとともに、図６（Ａ）に示すように、木枠１２を形成する。この木枠１２は、外壁板１４と同じ横幅Ｗ４（たとえば９００ｍｍ）であり、縦の長さＨ１（たとえば３０３０ｍｍ）も外壁板１４と同じ寸法である。また、左縦枠１８，縦桟２６および右縦枠２０等の裏面には、矩形に枠組みされた間柱２８が取り付けられている。そして、図６（Ｂ）および図６（Ｃ）に示すように、この木枠１２に含まれている２本で１組を成す２組の下地材３２，３２，上横枠２２および下横枠２４のそれぞれの表面に帯状に形成された防水層５８を配置する。次に、図３に示すように、２つの各防水層５８の両側であって、下地材３２，上横枠２２および下横枠２４のそれぞれの表面に帯状の範囲にわたって接着剤を塗布して第１および第２の接着剤層５２，５４を設ける。そして、図には示さないが、木枠１２の表面に、基本板１６，雄ザネ板３４および雌ザネ板３６を接着するための接着剤を塗布する。
【００３４】
次に、図７（Ａ）に示すように、雄ザネ板３４の平に形成された左側端、上縁および下縁を木枠１２のそれぞれと対応する縁部に合わせて、この雄ザネ板３４を木枠１２の表面に接着剤（図示せず），および第２の接着剤層５４を介して接着する。そして、基本板１６の上縁および下縁を木枠１２のそれぞれと対応する縁部に合わせて、基本板１６の雌ザネ３８を雄ザネ板３４の雄ザネ４０に嵌め合わせて接合しながら、この基本板１６を木枠１２の表面に接着剤（図示せず），ならびに２つの第１の接着剤層５２を介して接着する。さらに、雌ザネ板３６の平に形成された右側端、上縁および下縁を木枠１２のそれぞれと対応する縁部に合わせて、雌ザネ板３６の雌ザネ３８を基本板１６の雄ザネ４０に嵌め合わせて接合しながら、この雌ザネ板３６を木枠１２の表面に接着剤（図示せず），および第２の接着剤層５４を介して接着する。そして、木枠１２に接着された雄ザネ板３４，基本板１６および雌ザネ板３６を木枠１２に釘止めする（図示せず）。さらに、この釘止めされた雄ザネ板３４，基本板１６および雌ザネ板３６の上に錘を載せてプレス養生する。このようにして、図７（Ｂ）に示す外壁パネル１０を作ることができる。
【００３５】
なお、各防水層５８は、図３に示すように、雄ザネ板３４および基本板１６に形成されている凹部６０、ならびに雌ザネ板３６および基本板１６に形成されている凹部６０にそれぞれ装着されている。つまり、各防水層５８は、このように装着されるように木枠１２の下地材３２等の所定位置に設けられている。各凹部６０は、予め基本板１６等に形成されている。そして、２組の第１および第２の接着剤層５２，５４は、各防水層５８を両側から挟み込む位置に形成されている。つまり、２組の第１および第２の接着剤層５２，５４は、このように形成されるように木枠１２の下地材３２等の所定位置に設けられている。また、図３に示す接合部５０において、雌ザネ３８の溝３８ａの底面と雄ザネ４０の突条４０ａとの接合面間にはコーキング層（図示せず）が設けられている。
【００３６】
図４ないし図６に示す外壁板および外壁パネルを作る方法によると、規格された横幅を有する基本板１６（規格品の外壁板）を使って、規格されていないそれよりも幅広の外壁板１４（規格外の外壁板）を作ることができる。そして、この外壁板１４を使用して外壁パネル１０を作ることができる。したがって、横幅Ｗ３が４５５ｍｍの規格品の外壁板を基本板１６として使用することによって、規格品には存在していないたとえば横幅Ｗ４が９００ｍｍの外壁板１４を安価で簡単に作ることができる。そして、この外壁板１４を使用することによって、規格外の幅Ｗ４の外壁パネル１０も安価で簡単に作ることができる。これによって、規格外の幅Ｗ４の外壁板１４（外壁パネル１０）を作るときに、規格品の外壁板に取り揃えられている色柄のバリエーションの全てを利用できる。その結果、規格品の外壁板と同じ数の色柄のバリエーションを、規格外の外壁板１４に対して取り揃えて保有できるし、この外壁板１４を使用して外壁パネル１０を作ることができる。
【００３７】
そして、図３に示すように、外壁パネル１０は、基本板１６と雄ザネ板３４との接合部５０、および基本板１６と雌ザネ板３６との接合部５０を有するが、それぞれの接合部５０において、基本板１６と雄ザネ板３４とを跨るように、および基本板１６と雌ザネ板３６とを跨るように、各接合部５０の裏面に防水層５８が形成されているので、各接合部５０の表面側と裏面側との間の水密性を各防水層５８によって確実に保持することができる。そして、この防水層５８は、接合部５０の裏面に形成されている凹部６０に装着された状態で、接合部５０の裏面と下地材３２の表面との間に挟み込まれており、そしてこの下地材３２が接合部５０の裏面に第１および第２の接着剤層５２，５４によって接着されているので、防水層５８が長期間にわたって位置ずれを起こすことがない。さらに、図３に示すように、第１の接着剤層５２が防水層５８よりも基本板１６の板面内方へ寄った位置に設けられ、第２の接着剤層５４が防水層５８よりも雌ザネ板３６または雄ザネ板３４の板面内方へ寄った位置に設けられており、このようにして、防水層５８の外側で接合部５０と下地材３２との合わせ部を第１および第２の接着剤層５２，５４によって水密封止している。これによって、基本板１６と、雄ザネ板３４および雌ザネ板３６とのそれぞれの接合部５０の水密性をこの第１および第２の接着剤層５２，５４によっても保持することができる。なお、第１および第２の接着剤層５２，５４は、耐水性材料で形成されている。
【００３８】
なお、外壁パネル１０は、図８に示すようにして外壁パネル１０どうしが面一に設置されて建物等の外壁を構成する。外壁パネル１０どうしの接合構造は、図９および図１０に示すように、予め外壁パネル１０の木枠１２にブレード６２を取り付けておき、互いに隣り合う外壁パネル１０の相互間のブレード６２に乾式目地材６４を装着するものである。そして、図９に示す８８は鉄骨柱である。
【００３９】
次に、この発明の第２実施例に係る外壁板６６および外壁パネル６８を作る方法、および外壁パネル６８を図１１および図１２を参照して説明する。外壁パネルを作る方法および外壁パネルの第１実施例と第２実施例とが相違するところは、第１実施例では、図１に示すように、１枚の基本板１６の両側に雄ザネ板３４および雌ザネ板３６をそれぞれ接合しているが、第２実施例では、図１１に示すように、２枚の基本板１６の両側に雄ザネ板３４および雌ザネ板３６をそれぞれ接合しているところである。これ以外は、第１実施例と同等であるので、同等部分を同一の図面符号で示し、それらの詳細な説明を省略する。
【００４０】
外壁パネル６８に設けられている外壁板６６は、図１１に示すように、２枚の基本板１６の両側に雄ザネ板３４および雌ザネ板３６をそれぞれ接合したものであり、輪郭形状が矩形の板状体あって、横幅Ｗ６が１３５５ｍｍである。縦の長さＨ１は第１実施例と同一である。この２枚の基本板１６は、横に並べて配置してあり、左側の基本板１６の雄ザネ４０が右側の基本板１６の雌ザネ３８と接合している。そして、左側の基本板１６の雌ザネ３８が雄ザネ板３４の雄ザネ４０と接合している。また、右側の基本板１６の雄ザネ４０が雌ザネ板３６の雌ザネ３８と接合している。
【００４１】
木枠７０は、外壁板６６と同じ横幅Ｗ６（たとえば１３５５ｍｍ）であり、縦の長さＨ１も外壁板６６と同じ寸法である。そして、縦桟２６は、第１実施例と同様に、２枚の各基本板１６の各中央の裏面にそれぞれ配置されており、各縦桟２６は、上端部および下端部がそれぞれ上横枠２２および下横枠２４に結合している。この木枠７０の裏面には、矩形に枠組みされた間柱７３が結合している。
【００４２】
図１１（Ａ）に示す左側の基本板１６と右側の基本板１６との接合部５０は、第１実施例の接合部５０と同等の構造であるので、詳細な説明を省略する。そして、この接合部５０の裏面には、第１実施例と同様に、下地材３２が結合している。
【００４３】
外壁板６６および外壁パネル６８を作る方法は、まず、３枚の基本板１６を準備する。この基本板１６は、第１実施例と同等のものであり、外壁板の規格品である。そして、１枚の基本板１６を第１実施例と同様にして切断して、雄ザネ板３４および雌ザネ板３６を作る。
【００４４】
また、図１２に示すように、木枠７０を形成する。この木枠７０は、外壁板６６と同じ横幅Ｗ６（たとえば１３５５ｍｍ）であり、縦の長さＨ１も外壁板６６と同じ寸法である。この木枠７０は、裏面に取り付けられている間柱７３を含むものである。そして、この木枠７０に設けられている２本で１組を成す３組の下地材３２，上横枠２２および下横枠２４のそれぞれの表面に帯状に形成された防水層５８を配置する。次に、第１実施例と同様にして、３つの各防水層５８の両側であって、下地材３２，上横枠２２および下横枠２４のそれぞれの表面に帯状の範囲にわたって接着剤を塗布して第１および第２の接着剤層５２，５４（図示せず）を設ける。
【００４５】
次に、第１実施例と同様にして、図１２に示す木枠７０の左側の部分から順に、雄ザネ板３４，基本板１６，基本板１６および雌ザネ板３６を木枠７０の表面に接着していく。このようにして、図１１に示す外壁パネル６８を作ることができる。
【００４６】
第２実施例の外壁板６６および外壁パネル６８を作る方法によると、第１実施例と同様に、横幅Ｗ３が４５５ｍｍの規格品の外壁板を基本板１６として使用することによって、規格品には存在していないたとえば横幅Ｗ６が１３５５ｍｍの外壁板６６を安価で簡単に作ることができる。そして、この外壁板６６を使用することによって、規格外の横幅Ｗ６の外壁パネル６８も安価で簡単に作ることができる。これによって、規格品の外壁板と同じ数の色柄のバリエーションを、規格外の外壁板６６に対して取り揃えて保有できるし、この外壁板６６を使用して外壁パネル６８を作ることができる。
【００４７】
次に、この発明の第３実施例に係る外壁板７２および外壁パネル７４を作る方法、および外壁パネル７４を図１３および図１４を参照して説明する。外壁パネルを作る方法および外壁パネルの第１実施例と第３実施例とが相違するところは、第１実施例では、図１に示すように、１枚の基本板１６の両側に雄ザネ板３４および雌ザネ板３６をそれぞれ接合しているが、第３実施例では、図１３に示すように、３枚の基本板１６の両側に雄ザネ板３４および雌ザネ板３６をそれぞれ接合しているところである。これ以外は、第１実施例と同等であるので、同等部分を同一の図面符号で示し、それらの詳細な説明を省略する。
【００４８】
外壁パネル７４に設けられている外壁板７２は、図１３に示すように、３枚の基本板１６の両側に雄ザネ板３４および雌ザネ板３６をそれぞれ接合したものであり、輪郭形状が矩形の板状体あって、横幅Ｗ７が１８１０ｍｍである。縦の長さＨ１は第１実施例と同一である。この３枚の基本板１６は、横に並べて配置してあり、それぞれに形成されている雄ザネ４０と雌ザネ３８とが接合している。そして、左側の基本板１６の雌ザネ３８が雄ザネ板３４の雄ザネ４０と接合しており、右側の基本板１６の雄ザネ４０が雌ザネ板３６の雌ザネ３８と接合している。
【００４９】
木枠７６は、外壁板７２と同じ横幅Ｗ７（たとえば１８１０ｍｍ）であり、縦の長さＨ１も外壁板７２と同じ寸法である。そして、縦桟２６および間柱７８は、第１実施例と同様に配置されている。
【００５０】
３枚の基本板１６、雄ザネ板３４および雌ザネ板３６の各接合部５０は、第１実施例の接合部５０と同等の構造であるので、詳細な説明を省略する。そして、この接合部５０の裏面には、第１実施例と同様に、下地材３２が結合している。
【００５１】
外壁板７２および外壁パネル７４を作る方法は、まず、４枚の基本板１６を準備する。そして、１枚の基本板１６を第１実施例と同様にして切断して、雄ザネ板３４および雌ザネ板３６を作る。
【００５２】
また、図１４に示すように、木枠７６を形成する。この木枠７６は、外壁板７２と同じ横幅Ｗ７（たとえば１８１０ｍｍ）であり、縦の長さＨ１も外壁板７２と同じ寸法である。また、左縦枠１８，３本の縦桟２６および右縦枠２０の裏面には、矩形に枠組みされた間柱７８が取り付けられている。そして、図１４に示すように、この木枠７６の２本で１組を成す４組の下地材３２，上横枠２２および下横枠２４のそれぞれの表面に帯状に形成された防水層５８を配置する。次に、第１実施例と同様に、図１４に示す４つの各防水層５８の両側であって、下地材３２，上横枠２２および下横枠２４のそれぞれの表面に帯状の範囲にわたって接着剤を塗布して第１および第２の接着剤層５２，５４を設ける。
【００５３】
次に、図１４に示す木枠７６の左側の部分から順に、雄ザネ板３４，基本板１６，基本板１６，基本板１６および雌ザネ板３６を木枠７６の表面に接着していく。このようにして、図１３に示す外壁パネル７４を作ることができる。
【００５４】
第３実施例の外壁板７２および外壁パネル７４を作る方法によると、第１実施例と同様に、横幅Ｗ３が４５５ｍｍの規格品の外壁板を基本板１６として使用することによって、規格品には存在していないたとえば横幅Ｗ７が１８１０ｍｍの外壁板７２を安価で簡単に作ることができる。そして、この外壁板７２を使用することによって、規格外の横幅Ｗ７の外壁パネル７４も安価で簡単に作ることができる。これ以外は、第１実施例と同等の効果を奏するので、その説明を省略する。
【００５５】
次に、この発明の第４実施例に係る外壁板８０および外壁パネル８２を作る方法、および外壁パネル８２を図１５および図１６を参照して説明する。外壁パネルを作る方法および外壁パネルの第１実施例と第４実施例とが相違するところは、第１実施例では、図１に示すように、１枚の基本板１６の両側に雄ザネ板３４および雌ザネ板３６をそれぞれ接合しているが、第４実施例では、図１５に示すように、基本板１６を間に介さずに、雄ザネ板３４と雌ザネ板３６とを直接に接合しているところである。これ以外は、第１実施例と同等であるので、同等部分を同一の図面符号で示し、それらの詳細な説明を省略する。
【００５６】
外壁パネル８２に設けられている外壁板８０は、図１５に示すように、雄ザネ板３４と雌ザネ板３６とを接合したものであり、輪郭形状が矩形の板状体あって、横幅Ｗ８が４４５ｍｍである。縦の長さＨ１は第１実施例と同一である。この２枚の雄ザネ板３４および雌ザネ板３６は、横に並べて配置してあり、それぞれに形成されている雄ザネ４０と雌ザネ３８とが接合している。
【００５７】
木枠８４は、外壁板８０と同じ横幅Ｗ８（たとえば４４５ｍｍ）であり、縦の長さＨ１も外壁板８０と同じ寸法である。そして、縦桟２６は、省略されている。
【００５８】
雄ザネ板３４と雌ザネ板３６との接合部５０は、第１実施例の接合部５０と同等の構造であるので、詳細な説明を省略する。そして、この接合部５０の裏面には、第１実施例と同様に、下地材３２が結合している。
【００５９】
外壁板８０および外壁パネル８２を作る方法は、まず、１枚の基本板１６を準備する。そして、この基本板１６を第１実施例と同様にして切断して、雄ザネ板３４および雌ザネ板３６を作る。
【００６０】
また、図１６に示すように、木枠８４を形成する。この木枠８４は、外壁板８０と同じ横幅Ｗ８（たとえば４４５ｍｍ）であり、縦の長さＨ１も外壁板８０と同じ寸法である。また、左縦枠１８および右縦枠２０の裏面には、矩形に枠組みされた間柱８６が取り付けられている。そして、図１６に示すように、この木枠８４の２本で１組を成す下地材３２，上横枠２２および下横枠２４のそれぞれの表面に帯状に形成された防水層５８を配置する。次に、第１実施例と同様に、１つの防水層５８の両側であって、下地材３２，上横枠２２および下横枠２４のそれぞれの表面に帯状の範囲にわたって接着剤を塗布して第１および第２の接着剤層５２，５４を設ける。
【００６１】
次に、図１６に示す木枠８４の左側の部分から順に、雄ザネ板３４および雌ザネ板３６を木枠８４の表面に接着していく。このようにして、外壁パネル８２を作ることができる。
【００６２】
第４実施例の外壁板８０および外壁パネル８２を作る方法によると、第１実施例と同様に、横幅Ｗ３が４５５ｍｍの規格品の外壁板を基本板１６として使用することによって、規格品には存在しておらず、基本板１６よりも幅の狭いたとえば横幅Ｗ８が４４５ｍｍの外壁板８０を安価で簡単に作ることができる。そして、この外壁板８０を使用することによって、規格外の幅Ｗ８の外壁パネル８２も安価で簡単に作ることができる。これ以外は、第１実施例と同等の効果を奏するので、その説明を省略する。
【００６３】
なお、横幅Ｗ３が４５５ｍｍの規格品の外壁板を基本板１６として使用して、横幅Ｗ８が４４５ｍｍの外壁板８０を作る場合、たとえば基本板１６の両側に形成されている雄ザネ４０および雌ザネ３８のうちの一方または両方を合計１０ｍｍだけ切断すればよいと考えることができる。しかし、発明が解決しようとする課題の欄で説明したように、外壁パネルを建物の外面に張り付けて使用するとき、互いに隣接する外壁パネルの接合部が目地材６４によって防水処理が施されるが、基本板１６の側端を１０ｍｍ切断しただけでは、両側の各側端に雌ザネ３８（溝３８ａ）および雄ザネ４０の一部が残っているので、この雌ザネ３８および雄ザネ４０によって防水処理を施すことが困難なこととなる。
【００６４】
ただし、第１〜第４実施例では、横幅が４５５ｍｍの規格品の基本板１６を使用して外壁板およびその外壁板を使用する外壁パネルを作ったが、これ以外の横幅の規格品の基本板を使用して、規格外の横幅の外壁板およびその外壁板を使用する外壁パネルを作ることができる。
【００６５】
そして、第１〜第４実施例では、外壁板および外壁パネルの横幅が各実施例で定める寸法となるように、雄ザネ板３４および雌ザネ板３６の横幅Ｗ５を２２２．５ｍｍとしたが、外壁板および外壁パネルの横幅が所望の寸法となるように、雄ザネ板３４および雌ザネ板３６を所定の寸法の横幅に切断してもよい。
【００６６】
また、第１〜第４実施例では、外壁板の表面に目地４４等が形成されているが、この目地を省略してもよい。
【図面の簡単な説明】
【図１】（Ａ）はこの発明の第１実施例に係る外壁パネルの正面図、（Ｂ）は図１（Ａ）に示す外壁パネルの縦断面図、（Ｃ）は図１（Ａ）に示す外壁パネルの背面図である。
【図２】図１（Ａ）の外壁パネルをＩＩ−ＩＩ方向から見た拡大断面図である。
【図３】（Ａ）は図１（Ａ）の外壁パネルの基本板と雄ザネ板との接合部を示す拡大断面図、（Ｂ）は図１（Ａ）の外壁パネルの基本板と雌ザネ板との接合部を示す拡大断面図である。
【図４】図１（Ａ）の外壁パネルに使用される２枚の基本板を示す斜視図である。
【図５】（Ａ）は図１（Ａ）の外壁パネルに使用される基本板の拡大底面図、（Ｂ）は図５（Ａ）に示す基本板を切断して雄ザネ板および雌ザネ板を形成した状態を示す拡大底面図である。
【図６】（Ａ）は図１（Ａ）の外壁パネルに使用される木枠の斜視図、（Ｂ）は図６（Ａ）の木枠に防水層を形成する状態を示す斜視図、（Ｃ）は図６（Ａ）の木枠に２枚の防水層を設けた状態を示す斜視図である。
【図７】（Ａ）は図６（Ｃ）の木枠に雄ザネ板および基本板等を順次接着していく手順を示す斜視図、（Ｂ）は図６（Ｃ）の木枠に３枚の雄ザネ板等を接着して形成された外壁パネルを示す斜視図である。
【図８】図１（Ａ）の外壁パネルを建物に設置した状態を示す断面図である。
【図９】図８の外壁パネルどうしの接合部を示す拡大断面図である。
【図１０】図８の外壁パネルどうしの接合部に目地材を装着する状態を示す斜視図である。
【図１１】（Ａ）はこの発明の第２実施例に係る外壁パネルの正面図、（Ｂ）は図１１（Ａ）に示す外壁パネルの縦断面図、（Ｃ）は図１１（Ａ）に示す外壁パネルの背面図である。
【図１２】図１１（Ａ）の外壁パネルに使用される木枠の正面図である。
【図１３】（Ａ）はこの発明の第３実施例に係る外壁パネルの正面図、（Ｂ）は図１３（Ａ）に示す外壁パネルの縦断面図、（Ｃ）は図１３（Ａ）に示す外壁パネルの背面図である。
【図１４】図１３（Ａ）の外壁パネルに使用される木枠の正面図である。
【図１５】（Ａ）はこの発明の第４実施例に係る外壁パネルの正面図、（Ｂ）は図１５（Ａ）に示す外壁パネルの縦断面図、（Ｃ）は図１５（Ａ）に示す外壁パネルの背面図である。
【図１６】図１５（Ａ）の外壁パネルに使用される木枠の正面図である。
【図１７】従来の外壁パネルを図１８のＸＶＩＩ−ＸＶＩＩ方向から見たの拡大断面図である。
【図１８】図１７の外壁パネルの正面図である。
【図１９】従来の他の外壁パネルの拡大断面図である。
【符号の説明】
１０，６８，７４，８２　…外壁パネル
１２，７０，７６，８４　…木枠
１４，６６，７２，８０　…外壁板
１６　…基本板
１８　…左縦枠
２０　…右縦枠
２２　…上横枠
２４　…下横枠
２６　…縦桟
２８，７３，７８，８６　…間柱
３２　…下地材
３４　…雄ザネ板
３６　…雌ザネ板
３８　…雌ザネ
４０　…雄ザネ
４２　…中間部
４４　…第１の目地
４６　…第２の目地
４８　…第３の目地
５０　…接合部
５２　…第１の接着剤層
５４　…第２の接着剤層
５６　…外縁部
５８　…防水層
６２　…ブレード
６４　…目地材
【図１】
2004108111.tif 000003
【図２】
2004108111.tif 000004
【図３】
2004108111.tif 000005
【図４】
2004108111.tif 000006
【図５】
2004108111.tif 000007
【図６】
2004108111.tif 000008
【図７】
2004108111.tif 000009
【図８】
2004108111.tif 000010
【図９】
2004108111.tif 000011
【図１０】
2004108111.tif 000012
【図１１】
2004108111.tif 000013
【図１２】
2004108111.tif 000014
【図１３】
2004108111.tif 000015
【図１４】
2004108111.tif 000016
【図１５】
2004108111.tif 000017
【図１６】
2004108111.tif 000018
【図１７】
2004108111.tif 000019
【図１８】
2004108111.tif 000020
【図１９】
2004108111.tif 000021